(57)【要約】【課題】  中通し竿に釣糸をスムーズにかつまた確実に釣糸通し作業が行えるようにする。さらに釣糸の係止長さが短くして済み、釣糸表面を傷付けることがないようにする。【解決手段】  中通し竿に釣糸を通すための中通し竿用釣糸通し具について、中通し竿の竿先２４と糸通し口２５との間隔よりも長目のワイヤー１１と、ワイヤー１１の先端部に取り付けた糸通し１２とを有しており、糸通し１２はパイプ構造を持ち、パイプ構造の端口１４から他端へ所要の長さ離れた側面に、パイプ内部に釣糸２６を差し込み得る大きさに形成した側面開口１５を有し、釣糸２６の先を側面開口１５からパイプ内に差し込んでパイプ構造の端口１４から引き出すとともに、側面開口１５の縁に引っ掛けて、釣糸を通すようにする。【選択図】          図１
0003113200.tif 000002
【実用新案登録請求の範囲】
【請求項１】
中通し竿に釣糸を通すための中通し竿用釣糸通し具であって、中通し竿の竿先と糸通し口との間隔よりも長目のワイヤーと、ワイヤーの先端部に取り付けた糸通しとを有してお
り、糸通しはパイプ構造を持ち、パイプ構造の端口から他端へ所要の長さ離れた側面に、パイプ内部に釣糸を差し込み得る大きさに形成した側面開口を有し、釣糸の先を側面開口からパイプ内に差し込んでパイプ構造の端口から引き出すとともに、側面開口の縁にて釣り糸を折り返し、折り返した釣糸を側面開口の縁に引っ掛けて釣糸を係止するようにしたことを特徴とする中通し竿用釣糸通し具。
【請求項２】
ワイヤーと糸通しとは、ボールチェーンのような鎖部材を介して接続されている請求項１記載の中通し竿用釣糸通し具。
【請求項３】
ワイヤーは他端部に端部材を有している請求項１記載の中通し竿用釣糸通し具。
【考案の詳細な説明】
【技術分野】
【０００１】
本考案は、中通し竿に釣糸を通すための中通し竿用釣糸通し具に関するものである。
【背景技術】
【０００２】
中通し竿に釣糸を通すためには何らかの道具が必要となる。その一つとして特開平１０−２１５７４５号の考案が提案されており、それは先導部中央に通常時大径に膨出しかつ膨出方向に伸縮自在な弾性を有しているものを、多数の極細針金を束ねて捩り表面にフッ素樹脂コーティングを施した本体部の先端に取り付け、本体部を釣糸導入部から導入し、先導部に設けられている係止部に釣糸を係止させて糸通しを行うものである。しかしながら、係止部はばね部材をＵ字型に折り曲げた構造であるため、釣糸を係止しただけでは竿内面との接触摩擦による抵抗に打ち克つことができずに外れやすいという問題がある。
【０００３】
竿内面との摩擦による抵抗の問題は上記の考案に限らない。また釣糸通し作業を失敗しないために自然と係止する釣糸をリールから長く出し過ぎる傾向となる。その結果、釣糸が絡みやすいとか、釣糸を引き擦るため釣糸表面に擦過傷が形成され、切れやすくなるという問題を生ずる。また、上記のような問題があるため、釣糸通しに注意を要し、仲々スムーズに進めにくい事情がある。
【０００４】
【特許文献１】特開平１０−２１５７４５号
【考案の開示】
【考案が解決しようとする課題】
【０００５】
本考案は前記の点に着目してなされたもので、その課題は、中通し竿に釣糸をスムーズに、かつまた確実に釣糸通し作業を行えるようにすることである。また本考案の他の課題は、釣糸の係止長さが短くて済み、釣糸表面を傷付けることの少ない中通し竿用釣糸通し具を提供することである。
【課題を解決するための手段】
【０００６】
前記の課題を解決するため、本考案は、中通し竿に釣糸を通すための中通し竿用釣糸通し具について、中通し竿の竿先と糸通し口との間隔よりも長目のワイヤーと、ワイヤーの先端部に取り付けた糸通しとを有しており、糸通しはパイプ構造を持ち、パイプ構造の端口から他端へ所要の長さ離れた側面に、パイプ内部に釣糸を差し込み得る大きさに形成した側面開口を有し、釣糸の先を側面開口からパイプ内に差し込んでパイプ構造の端口から引き出すとともに、側面開口の縁にて釣り糸を折り返し、折り返した釣糸を側面開口の縁に引っ掛けて釣糸を係止するという手段を講じたものである。
【０００７】
中通し竿は、竿先から所要の長さ離れた側面に開けられている、糸通し口を有してお
り、リールから引き出した釣糸は糸通し口より中通し竿内に通し、竿先から導き出す構造であり、そのため本考案のものは、中通し竿の竿先と糸通し口との間隔よりも長目の長さのワイヤーを必要とする。ワイヤーは、撚り糸や細い金属線から成るもので、フレキシブルであると同時に、中通し竿内を僅かな摩擦抵抗に打ち克って通過し、竿先へ出るか、或いは逆に、竿先から入って糸通し口に出るだけの剛性を有している。
【０００８】
上記のワイヤーの先端部に糸通しが取り付けられている。糸通しは、釣糸を差し込み得る内径を有するパイプ構造を持っており、そのパイプ構造の端口から所要寸法離れた側面に、釣糸を差し込み得る大きさの側面開口が形成されている。目的の釣糸は、この側面開口から糸通しのパイプ構造部内に差し込まれたのち端口から引き出され、側面開口の縁に係止される状態となる。糸通しに係止された状態となる釣糸は、側面開口の縁に折り曲げられて係止しており、しかも、釣糸径よりもやや大径のパイプ構造部内に入り込んでパイプ構造内面に接触し、動きに対して摩擦抵抗を生じる状態にある。従って、折り曲げ長さが数センチメートル以上あれば脱落のおそれはない。
【０００９】
上記のワイヤーとその一端部に取り付けられる糸通しを使用して、釣糸を糸通しに側面開口部分にて係止し、ワイヤーの他端部を中通し竿内に通すことができるので、釣糸通し具として必要最小限度の要件は備わったことになる。しかし、中通し竿内にワイヤーを通す場合、竿先から差し込んで側面開口より糸通しを出さなければならない場合もあり、このような場合、側面開口に達した糸通しを側面開口から引き出すのが容易であるとはかぎらない。そこでこのような場合のために、ワイヤーと糸通しとを鎖部材を介して接続することができ、そうすることにより鎖部材の箇所ではワイヤーの直線性保持作用がなく、垂れ下がるようになるので、糸通しを側面開口へ垂れ下がらせることができ、容易に引き出せるようになる。図３参照。
【００１０】
また、ワイヤーの他端部、即ち糸通しを取り付けた先端部とは異なる方の端部には端部材を取り付けると良い。この端部材は、例えばワイヤーを他端部から中通し竿内に差し込んで押し動かすときにワイヤーの他端部によって中通し竿の内面を損傷させない目的、或いはワイヤーの他端部を摘んで引っ張るような場合に指掛かりとなる役割などを有している。
【考案の効果】
【００１１】
本考案は前記のように構成されかつ作用するものであるから、中通し竿に釣糸を通す作業が、糸通しに釣糸を係止し、ワイヤーを中通し竿に通すことによって著しくスムーズに行えるようになる。また、本考案によれば、釣糸の係止長さが著しく短くて済み、釣糸表面を傷付けることも殆んどないという効果を奏する。
【考案を実施するための最良の形態】
【００１２】
以下図示の実施形態を参照して本考案をより詳細に説明する。図１に本考案に係る中通し竿用の釣糸通し具１０の例を示す。図１Ａは、図４等に示す中通し竿２０の竿先２４と糸通し口２５との間隔よりも長目の長さを有するワイヤー１１と、その先端部に取り付けた糸通し１２とを有している釣糸通し具１０の要部である。ワイヤー１１は極細の針金から成る撚り線でありかつ表面に滑剤をコーティングしたもので、市販のものを使用することができる。
【００１３】
糸通し１２は全体がパイプ構造を有する金属製中空材料より成り、中空部内１３は、釣糸を差し込み得る内径を有するもので、パイプ構造の端口１４から他端へ所要長さ離れた側面に、釣糸を差し込み得る大きさに形成した側面開口１５を有している。図１Ａに例示の側面開口１５は中空パイプの側面に端口へ向けて斜めに切り込みを入れて形成されているもので、端部側の側面開口１５の断ち切った縁１６が釣糸の係止する縁となる。図１Ｃは中空パイプの側面を中空部内１３に達するようにえぐり取って形成した、側面開口１７の変形例を示しており、側面開口の縁１８も断ち切り型ではなく鋭角となる。
【００１４】
図１の例において、ワイヤー１１と糸通し１２とはボールチェーンから成る鎖部材１９及びワイヤー１１を挿入した接続パイプ２１を介して接続されている。糸通し１２の他端部と鎖部材１９、鎖部材１９と接続パイプ２１とは黄銅、アルミニウム、鉄系合金等の金属材料によって形成されており、各接触部にて接着又は溶接等の手段により接続されている。
【００１５】
図２は本考案に係る釣糸通し具１０の全体を示したもので、ワイヤー１１を中間省略している。ワイヤー１１の他端部には、接続パイプ２２を介して端部材２３を取り付けている。ワイヤー１１は、図５を参照すれば竿先２４と糸通し口２５との間隔Ｌよりも長目の長さとするが、釣糸２６を糸通し１２に係止するときに、図６に示すように、端部材２３が竿先２４から十分に出るような長さにすると作業をしやすい。
【００１６】
このような構成を有する中通し竿用釣糸通し具１０の使用方法を図５〜７を参照して説明する。まず本考案の釣糸通し具１０の糸通し１２を竿先２４より竿内に差し込み、ワイヤー１１を押し込んで糸通し１２が糸通し口２５に位置するようにする。すると、鎖部材１９のために糸通し１２は下に垂れ、図３に示すように糸通し口２５に出るようになるので、これを引き出し、一方、リール２７から繰り出した釣糸２６を糸通し１２の側面開口１５へ外側より差し込み、釣糸２６を折り返して側面開口の縁１６に係止する。図７の釣糸接続状態である。
【００１７】
釣糸を接続状態としたあとでは、ワイヤー１１の他端部の端部材２３を引っ張ることにより糸通し１２を中通し竿内へ引き入れることができ、その際釣糸２６は糸通し１２の側面開口の縁１６に係止して中空部内１３に係止端２８を入り込ませかつ外へ引き出してあるので、係止端２８が僅か数センチメートルの長さでも、中通し竿内で抜け出して外れてしまうことはない。かくして釣糸２６を竿先２４から引き出すことができ、引き出した釣糸２６の先端には鉤素などの部材を接続することが容易にできる（図４参照）。
【００１８】
これまでの説明では、釣糸通し具１０を竿先２４から差し込んで中通し竿２０の糸通し口２５から導き出す方法について述べたが、この方法を取らずに釣糸通し具１０の他端部を糸通し口２５から中通し竿２０に差し込んで竿先２４より出すようにする方法も勿論取り得る。あとの方法を取る場合には、あらかじめ釣糸２６の先を糸通し１２に側面開口１５から差し込んで折り返し、縁１６に係止させた接続状態としておくことができる。
【産業上の利用可能性】
【００１９】
中通し竿と同様の中空パイプ状構造の内部へ、糸や紐のようにそれ自体では通せない部材を通す用途に使用し得る。
【図面の簡単な説明】
【００２０】
【図１】本考案に係る中通し竿用釣糸通し具の１例を示すもので、Ａは要部断面図、Ｂは糸通しの正面図、Ｃは異なる形状の側面開口を有する糸通しの変形例のものの正面図。
【図２】同上の釣糸通し具の全体を示す断面図。
【図３】糸通し口から糸通しを垂らして引き出す状態を示す断面図。
【図４】釣糸を装着し終えた状態の説明図。
【図５】釣糸通し具を中通し竿に竿先から差し込む状態の説明図。
【図６】釣糸通し具を糸通し口から引き出す状態の説明図。
【図７】釣糸を係止した釣糸通し具を中通し竿内に引き入れる状態の説明図。
【符号の説明】
【００２１】
１０  釣糸通し具
１１  ワイヤー
１２  糸通し
１３  中空部内
１４  端口
１５  空間
１５、１７  側面開口
１６、１８  縁
１９  鎖部材
２０  中通し竿
２１、２２  接続パイプ
２３  端部材
２４  竿先
２５  糸通し口
２６  釣糸
２７  リール
２８  係止端
【図１】
0003113200.tif 000003
【図２】
0003113200.tif 000004
【図３】
0003113200.tif 000005
【図４】
0003113200.tif 000006
【図５】
0003113200.tif 000007
【図６】
0003113200.tif 000008
【図７】
0003113200.tif 000009